(57)【要約】【課題】離れたところから、所定の動作情報から成る表示項目を切り替えることができる酸素濃縮器を提供すること。【解決手段】所定の動作情報から成る表示項目を表示する表示部４および前記表示項目を制御する制御部５を有する酸素濃縮器本体２と、前記制御部５へ表示項目の変更をさせる信号を送信するリモートコントロール装置３とを備えて成り、前記酸素濃縮器本体２は、前記リモートコントロール装置３からの信号を受信する受信部６を備えて成ることを特徴とする酸素濃縮器１である。【選択図】          図１
2005198705.tif 000002
【特許請求の範囲】
【請求項１】
所定の動作情報から成る表示項目を表示する表示部および前記表示項目を制御する制御部を有する酸素濃縮器本体と、前記制御部へ表示項目の変更をさせる信号を送信するリモートコントロール装置とを備えて成り、
前記酸素濃縮器本体は、前記リモートコントロール装置からの信号を受信する受信部を備えて成る
ことを特徴とする酸素濃縮器。
【請求項２】
前記リモートコントロール装置は、前記表示部の明るさを切り替える信号を送信する
ことを特徴とする前記請求項１記載の酸素濃縮器。
【請求項３】
前記酸素濃縮器本体は、前記所定の動作情報を記憶する記憶部を備え、
前記リモートコントロール装置は、前記記憶部に記憶されている所定の動作情報を前記表示部に表示させる信号を送信する
ことを特徴とする前記請求項１または請求項２記載の酸素濃縮器。
【請求項４】
前記リモートコントロール装置は、異なる複数のリモートコントロール装置を有する
ことを特徴とする前記請求項１〜請求項３のいずれか１項に記載の酸素濃縮器。
【請求項５】
前記酸素濃縮器本体は、前記リモートコントロール装置への信号を送信する送信部を備え、
前記リモートコントロール装置は、前記酸素濃縮器本体が前記所定の動作情報を前記リモートコントロール装置に送る信号を受信する受信部を備える
ことを特徴とする前記請求項１〜請求項４のいずれか１項に記載の酸素濃縮器。
【発明の詳細な説明】
【技術分野】
【０００１】
本発明は、酸素濃縮器に関する。
【背景技術】
【０００２】
在宅酸素療法に用いられる酸素濃縮器は、医師によって処方された流量設定値にしたがって、患者が酸素濃縮器の流量を設定し、患者が酸素を吸入して使用する。したがって、酸素濃縮器の流量設定値が患者に一目でわかることが必要であり、通常、発光ダイオードや液晶表示装置等で流量設定値を表示することが一般的である。
【０００３】
患者に必要な情報は、この流量設定値のみであるが、通常、酸素濃縮器の管理・メンテナンスを行うサービス業者のために酸素濃縮器の稼動積算時間等、装置の内部情報を表示していることがある。しかし、これら流量設定値以外の情報が表示されることは、患者にとっては無用なことであり、操作の間違いや混乱の原因となる虞がある。
【０００４】
また、これら流量設定値以外の情報をスイッチ等で切り替えて表示する場合、スイッチを酸素濃縮器の外部に置くと、患者による誤動作を起こす原因となり、反対に、スイッチを酸素濃縮器の内部に配置すると、操作のため酸素濃縮器内部をあける必要があり、手間がかかるだけでなく酸素濃縮器の信頼性を損なう虞もある。
【０００５】
これら問題点を解決しうる手段として、「（ｉ）個々に独立して使用者宅に配置された、空気から酸素濃度の高められた酸素濃縮気体を分離するための酸素濃縮機能部と、該酸素濃縮機能部に空気を供給し又は該酸素濃縮機能部から酸素濃縮気体を取り出すための電動機付ポンプ手段とを具備した酸素発生手段と、酸素を使用に供するための酸素供給手段と、該発生手段及び供給手段の使用に関する情報を検知又は入力により収集するための情報収集手段と、該情報を変換するための変換手段と、該情報を記憶するための記憶手段とを備えた酸素供給装置と、（ii）該記憶手段により記憶された情報を情報センターに送信するための送信手段と、（iii）該情報センターに配置され、該送信手段から送信された情報を受信するための受信手段と、（iv）該送信手段と該受信手段の間で電話回線を介して通信を行うための通信手段とを具備した在宅医療用酸素供給システム」が提案されている（特許文献１参照）。
【０００６】
【特許文献１】特許２８３１３９９号公報（請求項１、図１）
【０００７】
この特許文献１記載の酸素濃縮器を備える在宅医療用酸素供給システムにおいては、酸素濃縮器の内部情報を電話回線を用いて、サービス業者等の情報センターに送られるため、上記したような問題点を解決しているが、電話代が常にかかるため、患者の経済的な負担となるという問題点がある。
【０００８】
一方、流量設定値の表示方法であるが、酸素濃縮器が設置された室内が明るいときは、液晶表示装置や液晶のバックライトなどの明るさは明るいほうが見やすいが、夜間など室内が暗いときに必要以上に明るいと、就寝時には安眠の妨げとなるという問題点がある。
【０００９】
この問題点を解決しうる手段として、「空気中の酸素を分離し酸素濃縮空気を使用者に供給する医療用酸素濃縮装置において、運転に関する情報を発光表示する表示手段を備えると共に、周囲の明るさを検知する検知手段を備え、検知結果により該表示手段の明るさを切り替える切替手段を備えることを特徴とする医療用酸素濃縮装置」が提案されている（特許文献２参照）。
【００１０】
【特許文献２】特開２００３−２２５３１０号公報（請求項１）
【００１１】
この特許文献２記載の医療用酸素濃縮装置においては、所望の明るさに変更するため、上記の問題点は解決されているが、検知手段である光センサ等で検知できる明るさは、この医療用酸素濃縮装置の光センサの近傍であり、必ずしも室内の明るさを反映しているものではない。また、室内の明るさが同じであっても、患者が就寝時と起床時とでは必要な明るさは異なるため、最終的には、患者が望むだけの、例えば、表示装置の見やすい明るさに容易に調節できることが望ましい。
【発明の開示】
【発明が解決しようとする課題】
【００１２】
本発明は、このような従来の問題点を解消し、離れたところから、所定の動作情報から成る表示項目を切り替えることができる酸素濃縮器を提供することをその課題とする。
【課題を解決するための手段】
【００１３】
前記課題を解決するための手段は、所定の動作情報から成る表示項目を表示する表示部および前記表示項目を制御する制御部を有する酸素濃縮器本体と、前記制御部へ表示項目の変更をさせる信号を送信するリモートコントロール装置とを備えて成り、前記酸素濃縮器本体は、前記リモートコントロール装置からの信号を受信する受信部を備えて成ることを特徴とする酸素濃縮器である。
【００１４】
この発明に係る酸素濃縮器の好適な態様において、前記リモートコントロール装置は、前記表示部の明るさを切り替える信号を送信する。
【００１５】
この発明に係る酸素濃縮器の好適な態様において、前記酸素濃縮器本体は、前記所定の動作情報を記憶する記憶部を備え、前記リモートコントロール装置は、前記記憶部に記憶されている所定の動作情報を前記表示部に表示させる信号を送信する。
【００１６】
この発明に係る酸素濃縮器の好適な態様において、前記リモートコントロール装置は、異なる複数のリモートコントロール装置を有する。
【００１７】
この発明に係る酸素濃縮器の好適な態様において、前記酸素濃縮器本体は、前記リモートコントロール装置への信号を送信する送信部を備え、前記リモートコントロール装置は、前記酸素濃縮器本体が前記所定の動作情報を前記リモートコントロール装置に送る信号を受信する受信部を備える。
【発明の効果】
【００１８】
本発明によれば、表示部および制御部を有する酸素濃縮器本体と、リモートコントロール装置とを備えて成り、前記酸素濃縮器本体は、前記リモートコントロール装置からの信号を受信する受信部を備えて成ることにより、リモートコントロール装置から前記制御部へ表示項目の変更をさせる信号を送信させ、受信部がその信号を受信する。すると、受信部から制御部へその信号が送られ、制御部は、表示部の表示項目の変更をさせるので、リモートコントロール装置を使用して、離れたところから、所定の動作情報から成る表示項目を切り替えることができる。
【００１９】
また、本発明によれば、前記リモートコントロール装置は、前記表示部の明るさを切り替える信号を送信することにより、所望の明るさに前記表示部の明るさを切り替えることができる。
【００２０】
さらに、本発明によれば、前記酸素濃縮器本体は、記憶部を備え、前記リモートコントロール装置は、前記記憶部に記憶されている所定の動作情報を前記表示部に表示させる信号を送信することにより、記憶部が、複数の所定の動作情報を記憶することで、リモートコントロール装置は、複数の所定の動作情報を前記表示部に表示させることができる。
【００２１】
そして、本発明によれば、前記リモートコントロール装置は、異なる複数のリモートコントロール装置を有することにより、別々のリモートコントロール装置で酸素濃縮器本体を操作できるので、例えば、実際の使用者と、メンテナンス業者とが異なる目的でリモートコントロール装置を使用することができる。なお、使用者が使用するリモートコントロール装置を用いると、使用するために必要な動作情報を表示または変更させられるのに対し、メンテナンス業者が使用するリモートコントロール装置を用いると、メンテナンスに必要な動作情報についても表示または変更させられるようにすると、操作の間違いや混乱を生じさせず好ましい。
【００２２】
また、本発明によれば、前記酸素濃縮器本体は、送信部を備え、前記リモートコントロール装置は、受信部を備えることにより、リモートコントロール装置から信号を酸素濃縮器本体の受信部に送信し、この受信部で受信した信号により、制御部が、所定の動作情報をリモートコントロール装置へ送信するよう制御を行う。すると、酸素濃縮器本体の送信部から所定の動作情報をリモートコントロール装置へ送信し、リモートコントロール装置の受信部で所定の動作情報を受信するから、酸素濃縮器から離れたところで、所定の動作情報を知ることもできる。
【発明を実施するための最良の形態】
【００２３】
以下、本発明の実施の形態を図面に基づいて説明する。
［第１実施形態］
［酸素濃縮器］
図１は、本発明の第１実施形態に係る酸素濃縮器１のブロック図である。この酸素濃縮器の用途としては、在宅医療用、通常の生活等が挙げられる。
【００２４】
酸素濃縮器１は、酸素濃縮器本体２と、リモートコントロール装置３とを備えて成る。なお、図示は略すが、酸素濃縮器１における空気から酸素を分離する手段としては、特に制限はなく、例えば、窒素を吸着する吸着剤を用いて空気から酸素を分離する手段や、固体電解質膜を利用して、電気化学的に空気から酸素を分離する手段等を採用することができる。また、図示は略すが、酸素濃縮器１の電源としては、公知の直流電源、交流電源を採用できる。また、電源としては、家庭用電源、電池、燃料電池等を採用できる。
【００２５】
［酸素濃縮器本体］
前記酸素濃縮器本体２は、表示部４と、制御部５と、受信部６と、記憶部７とを備えて成る。
【００２６】
表示部４は、所定の動作情報から成る表示項目を表示する。ここで、表示部４としては、液晶ディスプレイ、発光ダイオード、蛍光管表示装置等が挙げられる。また、表示部４は、表示部４の明るさを変更可能であり、明るさを変更可能にする手段として、バックライト等が挙げられる。
【００２７】
所定の動作情報としては、例えば、患者等の使用者がリモートコントロール装置３を用いる場合には、酸素濃縮器の電源のＯＮ／ＯＦＦ、酸素の流量設定、タイマー設定時の時間設定等が挙げられる。
【００２８】
また、メンテナンス業者がリモートコントロール装置３を用いる場合には、酸素濃縮器の電源のＯＮ／ＯＦＦ、酸素の流量設定、タイマー設定時の時間設定、酸素濃度、吸着剤が充填される吸着筒内の圧力・電源電圧・内部温度、稼動積算時間の表示・リセット、警報の記録の表示、内部時計の表示・校正、酸素濃縮器の製造番号、内蔵されているソフトウェアの番号、運転時刻、電池の残量表示、燃料電池の燃料の残量表示等が挙げられる。
【００２９】
制御部５は、表示部４および記憶部７を制御し、前記表示項目の表示を制御する。ここで、制御部５としては、マイクロコンピュータ等が挙げられる。
【００３０】
受信部６は、前記リモートコントロール装置３からの所定の信号を受信できるものであれば特に制限はなく、公知の受信手段等を採用することができる。
【００３１】
記憶部７は、前記所定の動作情報を記憶する。ここで、記憶部７として、特に制限はないが、半導体メモリ等を採用することができる。
【００３２】
［リモートコントロール装置］
リモートコントロール装置３は、前記制御部５へ表示項目の変更をさせる信号を送信する送信部８を備えている。リモートコントロール装置３は、電波式、赤外線式等のいずれの無線方式をも採用することができる。なお、無線方式だけでなく、必要に応じて有線方式を採用してもよい。
【００３３】
ここで、前記リモートコントロール装置３は、１台のリモートコントロール装置を使用者またはメンテナンス業者のどちらかが用いる場合を説明したが、これに限られず、前記リモートコントロール装置は、異なる複数のリモートコントロール装置を有し、この複数のリモートコントロール装置を同時に用いるようにしてもよい。
【００３４】
図２は、図１の酸素濃縮器における送信データを示す概略図である。この送信データは、リーダ部、カスタムコード部、データ部、データ部の反転したデータ反転部、ストップビットの順に並んで構成されている。
【００３５】
リーダ部は、送信データの最初の部分を示し、データの大きさは、目的に応じて任意に設定することができる。カスタムコード部は、送信データを識別するためのデータであり、データの大きさは、例えば、２バイトである。
【００３６】
データ部は、指令データそのものであり、データの大きさは、例えば、１バイトである。データ反転部は、送信データの受信を確認するためのデータである。ストップビットは、送信データの最後の部分を示している。
【００３７】
送信データが、図２のように構成されていることにより、他の無線を用いた電化製品等との混信を防止することができる。また、データ部を複数の種類に分けて、異なる複数のリモートコントロール装置を使用することができる。
【００３８】
[酸素濃縮器の動作]
図３は、図１の酸素濃縮器における表示項目の切り替えを示す概略図である。図１〜図３を参照して、酸素濃縮器１の動作を以下に説明する。
【００３９】
まず、リモートコントロール装置３を操作すると、前記リモートコントロール装置３は、表示部４の明るさを切り替える信号を送信部８から酸素濃縮器本体２に送信する。この送られた信号を構成する送信データ（図２参照）は、受信部６で受信される。この受信された送信データは、制御部５に送られ、制御部５は、表示部４に対して、表示部４の明るさを変更する制御信号を送る。制御信号が送られた表示部４は、２段階、３段階等、所定の段階に分けて明るさを切り替える。
【００４０】
一方、表示部４が表示する表示項目の切り替えについて説明する。また、リモートコントロール装置３を操作すると、リモートコントロール装置３は、記憶部７に記憶されている所定の動作情報を表示部４に表示させる信号を送信する。この送られた信号を構成する送信データ（図２参照）は、受信部６で受信される。
【００４１】
受信部６で受信された送信データは、制御部５に送られ、図３に示されるように、「流量表示」、「稼動積算時間表示」、「警報記録表示」、「酸素濃度表示」・・・等の表示項目を切り替えて、表示部４に表示される。なお、図３においては、表示部４が、ドットマトリックスＬＣＤの場合および７セグメントＬＥＤの場合を示してある。
【００４２】
この際、制御部５に送られた送信データに基づいて、制御部５は、記憶部７に信号を送る。記憶部７に予め記憶された前記所定の動作情報のうち、送信データの内容に合致する動作情報を探し出して、この動作情報が、記憶部７から読み出される。読み出された動作情報は、制御部５を介して、表示部４に送られ、表示部４は、所定の動作情報から成る表示項目を表示する。
【００４３】
上述のような本実施形態によれば、次のような効果がある。
（１）リモートコントロール装置３から制御部５へ表示項目の変更をさせる信号を送信させ、受信部６がその信号を受信する。すると、受信部６から制御部５へその信号が送られ、制御部５は、表示部４の表示項目の変更（図３参照）をさせるので、リモートコントロール装置３を使用して、離れたところから、所定の動作情報から成る表示項目を切り替えることができる。
【００４４】
（２）リモートコントロール装置３は、表示部４の明るさを切り替える信号を送信することにより、所望の明るさに表示部４の明るさを切り替えることができる。
【００４５】
（３）記憶部７が、複数の所定の動作情報を記憶することで、リモートコントロール装置３は、複数の所定の動作情報を前記表示部４に表示させることができる。
【００４６】
（４）リモートコントロール装置３は、異なる複数のリモートコントロール装置を有することにより、別々のリモートコントロール装置で酸素濃縮器本体２を操作できるので、実際の使用者と、メンテナンス業者とが異なる目的でリモートコントロール装置を使用することができる。
【００４７】
［第２実施形態］
次に、本発明の第２実施形態を説明する。なお、以下の説明では既に説明した部分、部材と同一のものは同一符号を付してその説明を簡略する。図４は、本発明の第２実施形態に係る酸素濃縮器のブロック図である。
【００４８】
第２実施形態に係る酸素濃縮器１１は、酸素濃縮器本体１２と、リモートコントロール装置１３とを備えて成る。
【００４９】
［酸素濃縮器本体］
前記酸素濃縮器本体１２は、表示部４と、制御部５と、受信部６と、記憶部７と、送信部１４を備えて成る。
【００５０】
送信部１４は、前記リモートコントロール装置１３へ所定の信号を送信できるものであれば、特に制限はなく、公知の送信手段を採用することができる。
【００５１】
［リモートコントロール装置］
リモートコントロール装置１３は、送信部８と、受信部１５と、表示部１６と、記憶部１７と、制御部１８とを備えている。
【００５２】
受信部１５は、酸素濃縮器本体１２が所定の動作情報をリモートコントロール装置１３に送る信号を受信する。
【００５３】
表示部１６は、所定の動作情報から成る表示項目を表示する。ここで、表示部１６としては、液晶ディスプレイ、発光ダイオード、蛍光管表示装置等が挙げられる。また、表示部１６は、表示部１６の明るさを変更可能であり、明るさを変更可能にする手段として、バックライト等が挙げられる。
【００５４】
所定の動作情報としては、例えば、患者等の使用者がリモートコントロール装置１３を用いる場合には、酸素濃縮器１１の電源のＯＮ／ＯＦＦ、酸素の流量設定、タイマー設定時の時間設定等が挙げられる。
【００５５】
また、メンテナンス業者がリモートコントロール装置１３を用いる場合には、酸素濃縮器１１の電源のＯＮ／ＯＦＦ、酸素の流量設定、タイマー設定時の時間設定、酸素濃度、吸着筒内の圧力・電源電圧・内部温度、稼動積算時間の表示・リセット、警報の記録の表示、内部時計の表示・校正、酸素濃縮器の製造番号、内蔵されているソフトウェアの番号、運転時刻、電池の残量表示、燃料電池の燃料の残量表示等が挙げられる。
【００５６】
記憶部１７は、前記所定の動作情報を記憶する。ここで、記憶部１７として、特に制限はないが、半導体メモリ等を採用できる。
【００５７】
制御部１８は、表示部１６および記憶部１７を制御し、前記表示項目の表示を制御する。ここで、制御部１８としては、マイクロコンピュータ等が挙げられる。
【００５８】
[酸素濃縮器の動作]
図２〜図４を参照して、酸素濃縮器１１の動作を以下に説明する。なお、第１実施形態に係る酸素濃縮器１（図１参照）で説明した動作と重複する動作は、省略する。
【００５９】
ここで、所定の動作情報をリモートコントロール装置１３で読み出す際の動作を説明する。まず、リモートコントロール装置１３を操作すると、前記リモートコントロール装置１３は、所定の動作情報をリモートコントロール装置１３に送信させる信号を送信部８から酸素濃縮器本体１２に送信する。
【００６０】
この受信部６で受信された送信データは、制御部５に送られ、記憶部７に制御信号を送る。制御信号を送られた記憶部７は、記憶部７内に格納されている所定の動作情報を構成する信号を制御部５を介して、送信部１４に送る。この信号を送られた送信部１４は、送信データの信号をリモートコントロール装置１３に送る。
【００６１】
送信データの信号を送られたリモートコントロール装置１３は、受信部１５でこの信号を受信する。この信号を受信した受信部１５は、制御部１８を介して所定の動作情報を構成する信号を表示部１６および記憶部１７に送る。
【００６２】
なお、受信部１５で受信された送信データは、制御部１８に送られる場合、図３に示したものと同様に、「流量表示」、「稼動積算時間表示」、「警報記録表示」、「酸素濃度表示」・・・等の表示項目を切り替えて、表示部１６に表示される。ここで、図３においては、表示部１６が、ドットマトリックスＬＣＤの場合および７セグメントＬＥＤの場合を示してある。
【００６３】
上述のような本実施形態によれば、前記（１）〜（４）の効果に加えて、次のような効果がある。
（５）リモートコントロール装置１３から信号を酸素濃縮器本体１２の受信部６に送信し、受信部６で受信した信号により、制御部５が、所定の動作情報をリモートコントロール装置１３へ送信するよう制御を行う。すると、酸素濃縮器本体１２の送信部１４から所定の動作情報をリモートコントロール装置１３へ送信し、リモートコントロール装置１３の受信部１５で所定の動作情報を受信するから、酸素濃縮器１１から離れたところで、所定の動作情報を知ることができる。
【００６４】
（６）リモートコントロール装置１３を作業場所から持ち帰った後、所定の動作情報を構成する信号を受け取った記憶部１７から所定の動作情報を読み出すことができるので、所定の動作情報の解析を容易に行うことができる。
【図面の簡単な説明】
【００６５】
【図１】図１は、本発明の第１実施形態に係る酸素濃縮器のブロック図である
【図２】図２は、図１の酸素濃縮器における送信データを示す概略図である。
【図３】図３は、図１の酸素濃縮器における表示項目の切り替えを示す概略図である。
【図４】図４は、本発明の第２実施形態に係る酸素濃縮器のブロック図である。
【符号の説明】
【００６６】
１    酸素濃縮器
２    酸素濃縮器本体
３    リモートコントロール装置
４    表示部
５    制御部
６    受信部
７    記憶部
８    送信部
１１    酸素濃縮器
１２    酸素濃縮器本体
１３    リモートコントロール装置
１４    送信部
１５    受信部
１６    表示部
１７    記憶部
１８    制御部
【図１】
2005198705.tif 000003
【図２】
2005198705.tif 000004
【図３】
2005198705.tif 000005
【図４】
2005198705.tif 000006